(57)【要約】  人がニードルの先端に接触することが困難であり、かつ、ニードルを用いた液体の注入が容易なコネクタを提供する。ハウジング（５０）および第一コネクタ部材（４０）のスライドがロックされているときにハウジング（５０）はニードル（３０）の先端（３１）を保護し、第一ロック部（１Ｌ）は、第一コネクタ部材（４０）の内周面（４０ｉ）に設けられ、第一ロック部（１Ｌ）は、アクセス部材（１０１）と係合することでハウジング（５０）のロックを解除し、アクセス部材（１０１）から離脱することでハウジング（５０）のロックを維持する。
2018186276.tif 000002
【特許請求の範囲】
【請求項１】
第一部材と、第二部材と、の間に介在するコネクタであって、ニードルと、前記ニードルの先端を保護するハウジングと、前記ハウジングをスライド可能に保持する筒状の第一コネクタ部材と、前記ハウジングのスライドをロックすることが可能な第一ロック部と、を備え、前記ハウジングおよび前記第一コネクタ部材のスライドがロックされているときに前記ハウジングは前記ニードルの前記先端を保護し、前記第一ロック部は、前記第一コネクタ部材の内周面に設けられ、前記第一ロック部は、前記第二部材と係合することで前記ハウジングのロックを解除し、前記第二部材から離脱することで前記ハウジングのロックを維持する、コネクタ。
【請求項２】
前記第一ロック部は前記第一コネクタ部材の内周面側に突出する第一爪部を有する、請求項１に記載のコネクタ。
【請求項３】
前記第一爪部は、弾性を有するアーム部によって保持されている、請求項２に記載のコネクタ。
【請求項４】
前記ハウジングには、前記ハウジングのスライドがロックされているときに前記ニードルの前記先端を収納する空間が設けられており、前記ハウジングは、前記空間を封止する第一封止部材を有し、前記ニードルは前記第一封止部材を貫通している、請求項１から３のいずれか１項に記載のコネクタ。
【請求項５】
前記ハウジングは前記空間を封止する第二封止部材を有し、前記第二封止部材は前記第二部材に設けられた第三封止部材と圧縮接続可能であり、前記第二封止部材および前記第三封止部材が圧縮接続した状態で前記ニードルが前記第二封止部材および前記第三封止部材を貫通することで前記ニードルの前記先端が前記第二部材に到達する、請求項４に記載のコネクタ。
【請求項６】
前記コネクタは、前記ニードルを保持するハブと、前記第一コネクタ部材をスライド可能に保持する筒状の第二コネクタ部材と、前記第一コネクタ部材のスライドをロックすることが可能な第二ロック部と、をさらに備え、前記第二コネクタ部材の底面には前記ハブに嵌合する貫通孔が設けられている、請求項４または５に記載のコネクタ。
【請求項７】
前記ハウジングおよび前記第一コネクタ部材のスライドのロックが解除されて前記ハウジングおよび前記第一コネクタ部材が前記ハブに近づく方向に移動すると前記第一封止部材は前記ハブに当接する、請求項６に記載のコネクタ。
【請求項８】
前記第一コネクタ部材は、内周面側に傾斜した第一傾斜片を有し、前記ハウジングが前記第一傾斜片側にスライドすることで前記第一傾斜片は外周面側へ回動し、
前記第二ロック部は、前記第一傾斜片の外側に位置して内周面側に傾斜した、前記第二コネクタ部材の第二傾斜片を有し、前記第二傾斜片が前記第一コネクタ部材に係合することで前記第一コネクタ部材のスライドがロックされ、
前記第一傾斜片が外側へ回動することで前記第一傾斜片が前記第二傾斜片に当接して前記第二傾斜片を外側に回動させることで前記第二傾斜片と前記第一コネクタ部材との係合が解除されて前記第一コネクタ部材がスライド可能となる、請求項６または７に記載のコネクタ。
【請求項９】
前記第二部材は外周側に突出する通路爪部を有し、前記通路爪部が前記第一ロック部を前記第一コネクタ部材の外周面側へ移動させることにより前記第一ロック部による前記ハウジングのロックを解除することが可能である、請求項１から８のいずれか１項に記載のコネクタ。
【発明の詳細な説明】
【技術分野】
【０００１】
本発明は、コネクタに関する。
【背景技術】
【０００２】
従来、コネクタは、たとえば特表２０１０−５２１２１９号公報（特許文献１）および特開２０１１−１９９２４号公報（特許文献２）に記載されている。
【先行技術文献】
【特許文献】
【０００３】
【特許文献１】特表２０１０−５２１２１９号公報
【特許文献２】特開２０１１−１９９２４号公報
【発明の概要】
【発明が解決しようとする課題】
【０００４】
特許文献１では、第一の部材は穿刺部材の少なくとも先端が保護チャンバに封入される安全位置と、穿刺部材の先端が保護チャンバの外に配置される非安全位置との間において第二の部材に対して滑動されるように配置される。【０００５】
特許文献２では、シリンジアダプタの先端は、常にボディー内に設けられる。
特許文献１に記載の構造では、人が操作することでニードルの先端を露出させることができる。その結果、人がニードルの先端に接触することができるという問題がある。特許文献２では、常にボディー内にニードルの先端が位置し、付勢部材を有することで、アダプタを押し込まなければニードルを接続できず、液体を注入することが困難であるという問題があった。【０００６】
本発明は、上記のような問題に鑑みてなされたものであり、本発明の目的は、人がニードルの先端に接触することが困難であり、かつ、付勢部材を備えないため他の部材を接続することで液体の注入が容易なコネクタを提供することを目的とする。
【課題を解決するための手段】
【０００７】
コネクタは、第一部材と、第二部材と、の間に介在するコネクタであって、ニードルと、ニードルの先端を保護するハウジングと、ハウジングをスライド可能に保持する筒状の第一コネクタ部材と、ハウジングのスライドをロックすることが可能な第一ロック部と、を備え、ハウジングおよび第一コネクタ部材のスライドがロックされているときにハウジングはニードルの先端を保護し、第一ロック部は、第一コネクタ部材の内周面に設けられ、第一ロック部は、第二部材と係合することでハウジングのロックを解除し、第二部材から離脱することでハウジングのロックを維持する。【０００８】
このように構成されたコネクタでは、第一ロック部は第一コネクタ部材の内周面に設けられるため、操作者が第一ロック部材に触れることが困難となる。その結果、不用意な操作でロックが解除されることを防止できる。さらに、第一ロック部が第二部材と係合することでハウジングのロックが解除されるとハウジングをスライドさせてニードルの先端を露出させることができる。この状態でニードルの先端を第二部材に挿入することでニードルを用いた液体の注入が可能となる。【０００９】
好ましくは、第一ロック部は第一コネクタ部材の内周面側に突出する第一爪部を有する。【００１０】
好ましくは、第一爪部は、弾性を有するアーム部によって保持されている。
好ましくは、ハウジングには、ハウジングのスライドがロックされているときにニードルの先端を収納する空間が設けられており、ハウジングは、空間を封止する第一封止部材を有し、ニードルは第一封止部材を貫通している。【００１１】
好ましくは、ハウジングは空間を封止する第二封止部材を有し、第二封止部材は第二部材に設けられた第三封止部材と圧縮接続可能であり、第二封止部材および第三封止部材が圧縮接続した状態でニードルが第二封止部材および第三封止部材を貫通することでニードルの先端が第二部材に到達する。【００１２】
好ましくは、コネクタは、ニードルを保持するハブと、第一コネクタ部材をスライド可能に保持する筒状の第二コネクタ部材と、第一コネクタ部材のスライドをロックすることが可能な第二ロック部と、をさらに備え、第二コネクタ部材の底面にはハブに嵌合する貫通孔が設けられている。なお、第二コネクタ部材とハブを一体にしてもよい。【００１３】
好ましくは、ハウジングおよび第一コネクタ部材のスライドのロックが解除されてハウジングおよび第一コネクタ部材がハブに近づく方向に移動すると第一封止部材はハブに当接する。【００１４】
好ましくは、第一コネクタ部材は、内周面側に傾斜した第一傾斜片を有し、ハウジングが第一傾斜片側にスライドすることで第一傾斜片は外周面側へ回動し、第二ロック部は、第一傾斜片の外側に位置して内周面側に傾斜した、第二コネクタ部材の第二傾斜片を有し、第二傾斜片が第一コネクタ部材に係合することで第一コネクタ部材のスライドがロックされ、第一傾斜片が外側へ回動することで第一傾斜片が第二傾斜片に当接して第二傾斜片を外側に回動させることで第二傾斜片と第一コネクタ部材との係合が解除されて第一コネクタ部材がスライド可能となる。【００１５】
好ましくは、第二部材は外周側に突出する通路爪部を有し、通路爪部が第一ロック部を第一コネクタ部材の外周面側へ移動させることにより第一ロック部によるハウジングのロックを解除することが可能である。
【発明の効果】
【００１６】
本発明によれば、人がニードルの先端に接触することが困難であり、かつ、他の部材を接続することで液体の注入が容易なコネクタを提供することができる。
【図面の簡単な説明】
【００１７】
【図１】実施の形態１に係るコネクタの側面図である。
【図２】図１中のＩＩ−ＩＩ線に沿った断面図である。
【図３】図２中のＩＩＩで囲んだ部分を拡大して示す断面図である。
【図４】アクセス部材に接続される前のコネクタの断面図である。
【図５】筒状の第二コネクタ部材の斜視図である。
【図６】筒状の第一コネクタ部材の斜視図である。
【図７】ニードル先端を保護するハウジングの斜視図である。
【図８】アクセス部材に接続された後のコネクタの側面図である。
【図９】図８中のＩＸ−ＩＸ線に沿った断面図である。
【図１０】図９中のＸで囲んだ部分の断面図である。
【図１１】図９中のＸＩ−ＸＩ線に沿った断面図である。
【図１２】図１１中のＸＩＩで囲んだ部分を拡大して示す断面図である。
【図１３】第一コネクタ部材のスライドをロックする第二ロック部の斜視図である。
【図１４】第二ロック部によるロックが解除されたコネクタの側面図である。
【図１５】図１４中のＸＶ−ＸＶ線に沿った断面図である。
【図１６】図１５中のＸＶＩ−ＸＶＩ線に沿った断面図である。
【図１７】図１６中のＸＶＩＩで囲んだ部分の断面図である。
【図１８】第一コネクタ部材のスライドをロックしていない第二ロック部の斜視図である。
【図１９】ニードルがアクセス部材に連通した状態のコネクタの側面図である。
【図２０】図１９中のＸＸ−ＸＸ線に沿った断面図である。
【図２１】図２０中のＸＸＩ−ＸＸＩ線に沿った断面図である。
【図２２】液体を移注しているコネクタの側面図である。
【図２３】アクセス部材との連通が解除されたコネクタの側面図である。
【図２４】アクセス部材との接続が解除されたコネクタの側面図である。
【図２５】アクセス部材から離脱したコネクタの側面図である。
【発明を実施するための形態】
【００１８】
以下、本発明の実施の形態について、図を参照して詳細に説明する。なお、以下に示す実施の形態においては、同一のまたは共通する部分について図中同一の符号を付し、その説明は繰り返さない。
【００１９】
（コネクタ１ならびにそれに付属するアクセス部材１０１およびシリンジ２０１の構成）
図１は、実施の形態１に係るコネクタの側面図である。図１で示すように、コネクタ１はコネクタ本体としての第二コネクタ部材１０と、第二コネクタ部材１０の内側に嵌り合うコネクタガイドとしての第一コネクタ部材４０とを有する。第一コネクタ部材４０の先端はアクセス部材１０１に嵌り合う。第二コネクタ部材１０の後端はシリンジ２０１に嵌り合う。
【００２０】
アクセス部材１０１は、コネクタキャップ１１０と、コネクタキャップ１１０に保持されるアーム部１１２とを有する。アーム部１１２の先端が通路爪部１１１である。
【００２１】
シリンジ２０１は、円筒形状のバレル２１０と、バレル２１０の内側に嵌り合うプランジャー２２０とを有する。プランジャー２２０の先端にはガスケット２３０が嵌合している。バレル２１０の先端筒２１１が第二コネクタ部材１０に螺合する。コネクタ１が矢印２で示す方向に移動して第一コネクタ部材４０の先端が通路爪部１１１に嵌り合う。
【００２２】
ガスケット２３０は、筒状容器であるバレル２１０内を自在に摺動可能に設けられるとともに、バレル２１０の内周面とガスケット２３０との間を液密に維持する。バレル２１０とガスケット２３０によって形成される空間内に、液体２１５が収容されている。ガスケット２３０としては、天然ゴム、ブチルゴム、塩素化ブチルゴム、エチレンブタジエンゴム、および熱可塑性エラストマー等を採用することができる。なお、バレル２１０とガスケット２３０によって形成される空間内は、使用時に薬液を収容できるよう空（から）になっていてもよい。
【００２３】
図２は、図１中のＩＩ−ＩＩ線に沿った断面図である。図２で示すように、コネクタ１は、第二コネクタ部材１０と、第二コネクタ部材１０の内側に嵌り合う第一コネクタ部材４０と、第一コネクタ部材４０の内側に嵌り合うハウジング５０とを有する。第二コネクタ部材１０は内周面１０ｉを有する。内周面１０ｉに係合部１１が設けられている。係合部１１は内周面１０ｉに設けられる。第二コネクタ部材１０の端部には貫通孔１２が設けられている。貫通孔１２にはハブ２０が嵌り合う。なお、第二コネクタ部材１０とハブ２０が一体となっていてもよい。
【００２４】
第一コネクタ部材４０の後端に突条４１が設けられる。突条４１は、図２で示す状態では係合部１１と係合している。これにより、第一コネクタ部材４０が第二コネクタ部材１０から遠ざかる方向への動きが制限される。
【００２５】
第一コネクタ部材４０は内周面４０ｉを有する。第一コネクタ部材４０の先端に第一爪部４２が設けられている。第一爪部４２はハウジング５０のスライドを制限する。ハウジング５０はニードル３０の先端３１を保護している。ハウジング５０の貫通孔である空間５２内に先端３１が位置している。ハウジング５０の先端のストッパ５１が第一爪部４２と係合している。これにより、ハウジング５０が第二コネクタ部材１０に近づく方向へスライドすることが制限されている。５０は空間５３と空間５４とを有する。空間５３にゴム栓である第二封止部材６１が収納されている。空間５４にゴム栓である第一封止部材６２が収納されている。
【００２６】
アクセス部材１０１はアーム部１１２を有する。アーム部１１２の先端が通路爪部１１１である。アクセス部材１０１がゴム栓である第三封止部材１２０を保持している。第三封止部材１２０はコネクタキャップ１１０により位置決めされている。
【００２７】
貫通孔１２にハブ２０が嵌合している。ハブ２０のシリンジ側端部（メスルアーロック）にオスネジ２５が設けられている。オスネジ２５はバレル２１０の先端筒（オスルアーロック）２１１のメスネジ２１３と螺合している。なお、ハブ２０と接続できる構成であれば、シリンジ２０１でなくてもよい。
【００２８】
第一封止部材６２および第二封止部材６１は、たとえばゴム部材または熱可塑性エラストマー樹脂で構成されてもよい。ゴム部材を用いる場合にはイソプレンゴム、ブチルゴム、シリコーンゴムなどに代表されるゴム部材を用いることができる。
【００２９】
図３は、図２中のＩＩＩで囲んだ部分を拡大して示す断面図である。図３で示すように、第一爪部４２とストッパ５１とが当接可能な状態で配置されている。第一ロック部１Ｌは第一爪部４２を有する。図３で示す状態では、ストッパ５１は第一爪部４２と当接していない。しかしながら、ストッパ５１は第一爪部４２に当接する部分まではスライドすることが可能である。ストッパ５１が第一爪部４２に当接するとストッパ５１は図３中の右方向（図１中のシリンジ２０１へ近づく方向）へはスライドすることができない。
【００３０】
図４は、アクセス部材に接続される前のコネクタの断面図である。図４で示すように、第一コネクタ部材４０の後端に第一傾斜片４３が設けられている。第二コネクタ部材１０の先端に第二傾斜片１３が設けられている。第二傾斜片１３と後端４４とが当接可能である。第二コネクタ部材１０は第二ロック部２Ｌを有する。第一コネクタ部材４０が第二コネクタ部材１０に近づく方向にスライドすると後端４４が第二傾斜片１３と当接して、第一コネクタ部材４０のスライドが制限される。
【００３１】
図５は、筒状の第二コネクタ部材の斜視図である。図５で示すように、筒状の第二コネクタ部材１０の底に貫通孔１２が設けられている。貫通孔１２が撓むことを可能にするために、放射状の溝１２ａが貫通孔１２に設けられている。溝１２ａの数は、図５で示すよりも多くてもよく、または少なくてもよい。なお、貫通孔１２を備えずハブ２０と一体としてもよい。
【００３２】
第二コネクタ部材１０の内周面１０ｉには、内周側へ傾斜するように第二傾斜片１３が設けられている。第二傾斜片１３は可撓性（弾性）を有する。すなわち、外側へ第二傾斜片１３が押されると、第二傾斜片１３は外側へ移動する。係合部１１は、第二コネクタ部材１０において２ヶ所に設けられている。第二コネクタ部材１０は底を有する筒状であり、その底に貫通孔１２が設けられている。この例では、第二コネクタ部材１０はほぼ八角形形状である。しかしながら、第二コネクタ部材１０の形状はこれに限られず、他の多角形または丸型または楕円型であってもよい。
【００３３】
図６は、筒状の第一コネクタ部材の斜視図である。第一コネクタ部材４０は、第二コネクタ部材１０の内周面１０ｉに嵌合する。第一コネクタ部材４０と第二コネクタ部材１０が嵌合するため、第一コネクタ部材４０は第二コネクタ部材１０の内周面１０ｉに似た形状とされている。内周面４０ｉには内周側へ突出するように第一爪部４２が設けられている。第一爪部４２はハウジング５０のスライドを制限する。内周面４０ｉには後端側係合片４５が設けられている。後端側係合片４５は、ハウジング５０のスライドを制限するストッパとしての役割を果たす。内周面４０ｉには前端側係合片４９が設けられている。前端側係合片４９はハウジング５０が後端側係合片４５から遠ざかる方向へスライドすることを制限する。第一コネクタ部材４０は第一傾斜片４３を有する。第一傾斜片４３はテーパ状の板部材である。第一コネクタ部材４０の外周面には突条４１が設けられている。突条４１はスライド方向と直交するように延びる凸状部材である。
【００３４】
図７は、ニードル先端を保護するハウジングの斜視図である。図７で示すように、ハウジング５０は先端部分に設けられたストッパ５１と、胴状の本体部５５と、本体部５５を貫通する空間５２と、空間５２の端部を構成する空間５３とを有する。ストッパ５１は、横方向（スライド方向と直交する方向）に延びる。１対のストッパ５１は互いに平行に配置されている。本体部５５はハウジング５０の一端から他端へ延びる。この例では、本体部５５は円筒形状であるが、角筒形状であってもよい。
【００３５】
（コネクタ１ならびにそれに付属するアクセス部材１０１およびシリンジ２０１の動作）
図８は、アクセス部材に接続された後のコネクタの側面図である。図８で示すように、矢印２で示す方向に位置が移動する。これにより、第一コネクタ部材４０がコネクタキャップ１１０に嵌合する。
【００３６】
図９は、図８中のＩＸ−ＩＸ線に沿った断面図である。図９で示すように、第二封止部材６１と第三封止部材１２０とが当接する。アーム部１１２の通路爪部１１１が第一爪部４２およびハウジング５０に当接する。通路爪部１１１がハウジング５０をシリンジ２０１側へ押圧することで、ハウジング５０はシリンジ２０１へ近づく側に移動しようとする。
【００３７】
図１０は、図９中のＸで囲んだ部分の断面図である。図１０で示すように、通路爪部１１１が第一爪部４２と当接しているため、第一爪部４２は上方向へ移動している。具体的には、図３で示す第一爪部４２の位置と、図１０で示す第一爪部４２の位置とを比較すると、図１０で示す第一爪部４２の位置は、図３で示す第一爪部４２の位置よりも上方向（矢印３で示す方向）に移動している。
【００３８】
図１１は、図９中のＸＩ−ＸＩ線に沿った断面図である。図１２は、図１１中のＸＩＩで囲んだ部分を拡大して示す断面図である。図１３は、第一コネクタ部材のスライドをロックする第二ロック部の斜視図である。
【００３９】
図１１から図１３で示すように、第二傾斜片１３の先端は後端４４と当接している。そのため、第一コネクタ部材４０は、図１１および図１２で示す位置から第二コネクタ部材１０へ近づく位置に移動することはできない。シリンジ２０１はアクセス部材１０１側へ近づくように力が加えられるものの、第二ロック部２Ｌが存在するため、第一コネクタ部材４０は第二コネクタ部材１０側へスライドして移動することができない。
【００４０】
図１４は、第二ロック部によるロックが解除されたコネクタの側面図である。図１５は、図１４中のＸＶ−ＸＶ線に沿った断面図である。図１４および図１５で示すように、図１１で示す位置からコネクタ１をさらにアクセス部材１０１へ近づく方向に移動させる。すると第一コネクタ部材４０はアクセス部材１０１に深く挿入される。ストッパ５１は第一爪部４２と当接した後、第一爪部４２を越えて第二コネクタ部材１０へ近づく方向に移動する。これに伴い、ハウジング５０が第二コネクタ部材１０へ近づく方向に移動する。その結果、空間５２内で先端３１の位置が移動し、先端３１が第二封止部材６１に近づく。
【００４１】
図１６は、図１５中のＸＶＩ−ＸＶＩ線に沿った断面図である。図１７は、図１６中のＸＶＩＩで囲んだ部分の断面図である。図１８は、第一コネクタ部材のスライドをロックしていない第二ロック部の斜視図である。
【００４２】
図１６から図１８で示すように、ハウジング５０が第二コネクタ部材１０に近づく方向に移動する。これにより、ハウジング５０が第一傾斜片４３に当接して第一傾斜片４３が矢印３で示す方向に回動する。第一傾斜片４３の外周部分が第二傾斜片１３と当接しているため、第二傾斜片１３が矢印４で示す方向に回動する。その結果、第一コネクタ部材４０および第二コネクタ部材１０に対して傾斜していた第一傾斜片４３および第二傾斜片１３は第一コネクタ部材４０および第二コネクタ部材１０に対して傾斜しなくなり、互いに平行になる。図１８で示すように、第二傾斜片１３が矢印４で示す外周方向に持ち上げられる。これにより、後端４４が第二傾斜片１３に当接しなくなる。その結果、第一コネクタ部材４０が第二コネクタ部材１０に近づく方向にスライド可能となる。
【００４３】
図１９は、ニードルがアクセス部材に連通した状態のコネクタの側面図である。図２０は、図１９中のＸＸ−ＸＸ線に沿った断面図である。図２１は、図２０中のＸＸＩ−ＸＸＩ線に沿った断面図である。
【００４４】
図１９から図２１で示すように、第一コネクタ部材４０がシリンジ２０１に近づく方向に移動する。これにより、第一コネクタ部材４０が第二コネクタ部材１０内をスライドする。ハウジング５０がシリンジ２０１で近づく方向に移動する。その結果、ニードル３０の先端３１は第二封止部材６１および第三封止部材１２０を貫通してアクセス部材１０１へ達する。これにより液体２１５を、ニードル３０を経由してアクセス部材１０１へ送ることができる状態となる。
【００４５】
図２２は、液体を移注しているコネクタの側面図である。図２２で示すように、プランジャー２２０（図１）を第二コネクタ部材１０へ近づく方向に移動させる。これにより図２１中の液体２１５をアクセス部材１０１に注入することができる。
【００４６】
図２３は、アクセス部材との連通が解除されたコネクタの側面図である。図２３で示すように、液体の注入が終了すると、コネクタ１をアクセス部材１０１から切り離す必要がある。シリンジ２０１を矢印５で示す方向に移動させる。注入が終了した状態では、コネクタ１内は、図２１で示す構造である。この状態から、シリンジ２０１を矢印５で示す方向に移動させると、シリンジ２０１と連結された第二コネクタ部材１０が第一コネクタ部材４０に対してスライドする。その結果、図１５から図１７で示す位置まで第二コネクタ部材１０が後退する。
【００４７】
図２４は、アクセス部材との接続が解除されたコネクタの側面図である。図２４で示すように、第二コネクタ部材１０をさらに矢印６で示す方向に移動させることにより、第一コネクタ部材４０もアクセス部材１０１から遠ざかる方向に移動する。その結果、図８から図１２で示すように、第二ロック部２Ｌが第一コネクタ部材４０のスライドをロックする位置に第一コネクタ部材４０および第二コネクタ部材１０が位置決めされる。
【００４８】
図２５は、アクセス部材から離脱したコネクタの側面図である。図２５で示すように、シリンジ２０１をアクセス部材１０１から遠ざかる方向に移動させると、第一コネクタ部材４０とアクセス部材１０１との係合が解除される。その結果、図２５で示すように、コネクタ１がアクセス部材１０１から離脱する。
【００４９】
図４で示すコネクタを用いて、シリンジ２０１内の溶解液を、コネクタ１を経由して薬剤バイアルに注入することができる。
【００５０】
このコネクタ１を用いて薬剤バイアルから薬液を採取する場合には、以下の手順に従う。
【００５１】
シリンジ２０１（オスルアーロックシリンジ）にコネクタ１を接続する。薬剤バイアルにバイアルアクセスを接続する。バイアルアクセスにコネクタ１を近づけてバイアルアクセスにコネクタ１を接続する。薬剤バイアルに粉剤が封入されている場合、シリンジ２０１内の溶解液をコネクタ１を経由して薬剤バイアルに移注し、粉剤を溶解液に溶解させ、その溶解液をシリンジ２０１で採取することができる。薬剤バイアルに液剤が封入されている場合、シリンジ２０１内にコネクタ１を経由して薬剤バイアル内の薬剤を採取することができる。
【００５２】
メインルートの輸液容器およびサブルートの輸液容器を用いた薬液の投与方法について説明する。まず、メインルートの輸液容器および輸液ラインを用いて患者に輸液を注入する。サブルートの輸液容器にバッグアクセスを接続する。バッグアクセスはアクセス部材１０１、コネクタ１およびこれらを接続するチューブにより構成される。シリンジ２０１には、上記の工程で採取された薬剤（薬液）が存在する。バッグアクセスのアクセス部材１０１にコネクタ１を接続してシリンジ２０１からバッグアクセスにシリンジ２０１内の薬液を移注する。メインルートのロックコネクタにバッグアクセスのコネクタ１を接続する。これによりバッグアクセスを経由してシリンジ内の薬液が患者へ投与される。
【００５３】
（効果）
液体２１５は、シリンジ２０１内に封入されており、この液体２１５は、外部に漏洩させたくない任意の液体である場合に、上記のコネクタ１は優れた効果を有するたとえば、抗がん剤などの危険薬剤のほか、病原菌、耐性を持つと困る菌などを含む液体２１５を移送する場合に、コネクタ１を用いることができる。具体的には、シリンジ２０１から薬剤バッグへ薬液を移送する場合、輸液ラインからサンプリング用の空のシリンジへ輸液を移送する場合、病原菌を含む液状の検体採取具から検査キットへ検体を移送する場合などに、コネクタ１が好適に用いられ得る。また、トリクロロエチレンなどの危険溶剤、または、環境ホルモンを含む液体２１５を移送する場合にも、コネクタ１を用いることができる。
【００５４】
このような液体２１５がニードル３０の先端３１に付着していたとしても、そのニードル３０の先端３１が露出しないため、安全性が高まる。
【００５５】
コネクタ１は、第一部材としてのシリンジ２０１と、第二部材としてのアクセス部材１０１と、の間に介在するコネクタ１であって、ニードル３０と、ニードル３０の先端３１を保護するハウジング５０と、ハウジング５０をスライド可能に保持する筒状の第一コネクタ部材４０と、ハウジング５０のスライドをロックすることが可能な第一ロック部１Ｌと、を備え、ハウジング５０および第一コネクタ部材４０のスライドがロックされているときにハウジング５０はニードル３０の先端３１を保護し、第一ロック部１Ｌは、第一コネクタ部材４０の内周面４０ｉに設けられ、第一ロック部１Ｌは、アクセス部材１０１と係合することでハウジング５０のロックを解除し、アクセス部材１０１から離脱することでハウジング５０のロックを維持する。第一ロック部１Ｌは第一コネクタ部材４０の内周面４０ｉに設けられるため、操作者が第一ロック部１Ｌに触れることが困難となる。その結果、不用意な操作でロックが解除されることを防止できる。
【００５６】
さらに、第一ロック部１Ｌがアクセス部材１０１と係合することでハウジング５０のロックが解除されるとハウジング５０をスライドさせてニードル３０の先端３１を露出させることができる。この状態でニードル３０の先端３１をアクセス部材に挿入することでニードル３０を用いた液体の注入が可能となる。
【００５７】
第一ロック部１Ｌは第一コネクタ部材４０内周面４０ｉ側に突出する第一爪部４２を有する。第一爪部４２によって第一ロック部１Ｌを構成することで、簡単な構成で第一ロック部１Ｌを実現することができる。
【００５８】
第一爪部４２は、弾性を有するアーム部４８によって保持されている。アーム部４８が弾性を有するため、第一爪部４２がアクセス部材１０１に係合したときに第一爪部４２が移動しやすくなる。その結果、第一爪部４２にアクセス部材１０１が係合しやすくなる。
【００５９】
ハウジング５０には、ハウジング５０のスライドがロックされているときにニードル３０の先端３１を収納する空間５２が設けられており、ハウジング５０は、空間５２を封止する第一封止部材６２を有し、ニードル３０は第一封止部材６２を貫通している。封止された空間５２にニードル３０の先端３１が収納されているため、ニードル３０の先端３１から液体が漏出したとしても液体が外部に漏れることがない。
【００６０】
ハウジング５０は空間５２を封止する第二封止部材６１を有し、第二封止部材６１はアクセス部材１０１に設けられた第三封止部材１２０と圧縮接続可能であり、第二封止部材６１および第三封止部材１２０が圧縮接続した状態でニードル３０が第二封止部材６１および第三封止部材１２０を貫通することでニードル３０の先端３１がアクセス部材１０１に到達する。ニードル３０が互いに圧縮接続する第二封止部材６１および第三封止部材１２０を貫通して先端３１がアクセス部材１０１に到達することで、ニードル３０の先端３１が外部に露出することを防止できる。その結果、人がニードル３０の先端３１に接触することを防止できる。
【００６１】
コネクタ１は、ニードル３０を保持するハブ２０と、第一コネクタ部材４０をスライド可能に保持する筒状の第二コネクタ部材１０と、第一コネクタ部材４０のスライドをロックすることが可能な第二ロック部２Ｌと、をさらに備え、第二コネクタ部材１０の底面にはハブ２０に嵌合する貫通孔１２が設けられている。貫通孔１２にハブ２０が嵌合するためハブ２０を貫通孔１２で確実に保持することができる。その結果、シリンジ２０１からコネクタ１を経由してアクセス部材１０１に液体を移送中にコネクタ１からシリンジ２０１が離脱することを抑制できる。
【００６２】
ハウジング５０および第一コネクタ部材４０のスライドのロックが解除されてハウジング５０および第一コネクタ部材４０がハブ２０に近づく方向に移動すると第一封止部材６２はハブ２０に当接する。この場合、ハブ２０が第一封止部材６２に当接することでハブ２０を確実に位置決めすることができる。
【００６３】
第一コネクタ部材４０は、内周面４０ｉ側に傾斜した第一傾斜片４３を有し、ハウジング５０が第一傾斜片４３側にスライドすることで第一傾斜片４３は外周面側へ回動し、第二ロック部２Ｌは、第一傾斜片４３の外側に位置して内周面１０ｉ側に傾斜した、第二コネクタ部材１０の第二傾斜片１３を有し、第二傾斜片１３が第一コネクタ部材４０に係合することで第一コネクタ部材４０のスライドがロックされ、第一傾斜片４３が外側へ回動することで第一傾斜片４３が第二傾斜片１３に当接して第二傾斜片１３を外側に回動させることで第二傾斜片１３と第一コネクタ部材４０との係合が解除されて第一コネクタ部材４０がスライド可能となる。内周面４０ｉ，１０ｉ側に傾斜する第一傾斜片４３および第二傾斜片１３により第一コネクタ部材４０のスライドをロックするため、人が第一傾斜片４３および第二傾斜片１３を外側に回動させることが困難となる。その結果、人の操作により第一コネクタ部材４０がスライドすることを抑制できる。
【００６４】
アクセス部材１０１は外周側に突出する通路爪部１１１を有し、通路爪部１１１が第一ロック部１Ｌを第一コネクタ部材４０の外周面側へ移動させることにより第一ロック部１Ｌによるハウジング５０のロックを解除することが可能である。通路爪部１１１で第一ロック部１Ｌを操作することでハウジング５０のロックを解除することができ、簡単な構成でロックを解除することができる。
【００６５】
以上、本発明の実施の形態について説明したが、今回開示された実施の形態はすべての点で例示であって制限的なものではない。本発明の範囲は請求の範囲によって示され、請求の範囲と均等の意味および範囲内でのすべての変更が含まれる。
【符号の説明】
【００６６】
１  コネクタ、１Ｌ  第一ロック部、２Ｌ  第二ロック部、１０  第二コネクタ部材、１０ｉ，４０ｉ  内周面、１１  係合部、１２  貫通孔、１２ａ  溝、１３  第二傾斜片、２０  ハブ、２５  オスネジ、３０  ニードル、３１  先端、４０  第一コネクタ部材、４１  突条、４２  第一爪部、４３  第一傾斜片、４４  後端、４５  後端側係合片、４８，１１２  アーム部、４９  前端側係合片、５０  ハウジング、５１  ストッパ、５２，５３，５４  空間、５５  本体部、６１  第二封止部材、６２  第一封止部材、１０１  アクセス部材、１１０  コネクタキャップ、１１１  通路爪部、１２０  第三封止部材、２０１  シリンジ、２１０  バレル、２１１  先端筒、２１３  メスネジ、２１５  液体、２２０  プランジャー、２３０  ガスケット。
【図１】
2018186276.tif 000003
【図２】
2018186276.tif 000004
【図３】
2018186276.tif 000005
【図４】
2018186276.tif 000006
【図５】
2018186276.tif 000007
【図６】
2018186276.tif 000008
【図７】
2018186276.tif 000009
【図８】
2018186276.tif 000010
【図９】
2018186276.tif 000011
【図１０】
2018186276.tif 000012
【図１１】
2018186276.tif 000013
【図１２】
2018186276.tif 000014
【図１３】
2018186276.tif 000015
【図１４】
2018186276.tif 000016
【図１５】
2018186276.tif 000017
【図１６】
2018186276.tif 000018
【図１７】
2018186276.tif 000019
【図１８】
2018186276.tif 000020
【図１９】
2018186276.tif 000021
【図２０】
2018186276.tif 000022
【図２１】
2018186276.tif 000023
【図２２】
2018186276.tif 000024
【図２３】
2018186276.tif 000025
【図２４】
2018186276.tif 000026
【図２５】
2018186276.tif 000027
【国際調査報告】
2018186276.tif 000028
2018186276.tif 000029
2018186276.tif 000030
2018186276.tif 000031